(57)【要約】【課題】必要とされる特定領域にのみ部分的な１連の搬送路を形成することができる飲食容器搬送装置を提供すること。【解決手段】飲食容器などを搬送する１連の無端状の循環搬送路３が配設された飲食容器搬送装置１において、前記無端状の循環搬送路３の内側の所定箇所に並設可能な移動自在の補助搬送装置６と、搬送方向を変更する搬送方向切替装置７とを有し、少なくとも前記無端状の循環搬送路３と前記補助搬送装置６によって１連の循環搬送路を構成する。【選択図】    図１
2004290396.tif 000002
【特許請求の範囲】
【請求項１】
飲食容器などを搬送する１連の無端状の循環搬送路が配設された飲食容器搬送装置において、前記無端状の循環搬送路の内側の所定箇所に並設可能な移動自在の補助搬送装置と、搬送方向を変更する搬送方向切替装置とを有し、少なくとも前記無端状の循環搬送路と前記補助搬送装置によって１連の循環搬送路を構成できることを特徴とする飲食容器搬送装置。
【請求項２】
前記補助搬送装置が、直線状をなし、この補助搬送装置を前記無端状の循環搬送路の直線部分に平行に配置し、部分的な循環搬送路を形成できるようになっている請求項１に記載の飲食容器搬送装置。
【請求項３】
前記補助搬送装置が、直線状をなし、この補助搬送装置を前記無端状の循環搬送路の直線部分に平行に配置し、部分的なＬ字状の循環搬送路を形成できるようになっている請求項１に記載の飲食容器搬送装置。
【請求項４】
前記補助搬送装置が、直線状をなし、この補助搬送装置を前記無端状の循環搬送路を斜めに渡すように配置し、部分的な略三角形状の循環搬送路を形成できるようになっている請求項１に記載の飲食容器搬送装置。
【請求項５】
前記補助搬送装置は、略直線状の基台に、無端状のベルトが掛け渡されたプーリと、該プーリを駆動させるためのモータと、から構成されている請求項１〜４のいずれかに記載の飲食容器搬送装置。
【請求項６】
前記基台の両側部には、ベルトに沿って壁部が設けられている請求項５に記載の飲食容器搬送装置。
【請求項７】
前記壁部は、その端部が移動自在に形成されている請求項６に記載の飲食容器搬送装置。
【請求項８】
前記基台には脚部が取付けられ、該脚部の高さを調整できる高さ調整装置が設けられている請求項５〜７のいずれかに記載の飲食容器搬送装置。
【請求項９】
前記脚部には車輪が取付けられている請求項８に記載の飲食容器搬送装置。
【発明の詳細な説明】
【０００１】
【発明の属する技術分野】
本発明は、飲食容器を循環搬送する飲食容器搬送装置に関する。
【０００２】
【従来の技術】
従来、寿司店などにおいて、無端状のクレセントチェーンが設けられた飲食容器を循環搬送する搬送装置があるが、客数が少ない場合などに、客が滞在する特定領域のみに飲食容器の搬送を行うことができなかった。
【０００３】
そこで、特定領域にのみ飲食容器の搬送を実施するために、前記クレセントチェーンを２連配設して、該特定の領域の端部に、内周外周のクレセントチェーンを連結させる連結装置を設けることで、該連結装置間すなわち前記特定の領域において飲食容器を搬送できる飲食容器搬送装置が提供されている。
【０００４】
【特許文献】
特開２００１−３３３８４９号公報（図４）
【０００５】
【発明が解決しようとする課題】
しかしながら、上記するような飲食容器搬送装置にあっては、特定領域のみに搬送を行う場合、前記クレセントチェーンを２連配設するなど、設備投資費用が膨大に掛かり、また、２連のクレセントチェーンを駆動させねばならないために電気代等が嵩んでいた。
【０００６】
本発明は、このような問題点に着目してなされたもので、必要とされる特定領域にのみ部分的な１連の搬送路を形成することができる飲食容器搬送装置を提供することを目的とする。
【０００７】
【課題を解決するための手段】
上記課題を解決するために、本発明の飲食容器搬送装置は、飲食容器などを搬送する１連の無端状の循環搬送路が配設された飲食容器搬送装置において、前記無端状の循環搬送路の内側の所定箇所に並設可能な移動自在の補助搬送装置と、搬送方向を変更する搬送方向切替装置とを有し、少なくとも前記無端状の循環搬送路と前記補助搬送装置によって１連の循環搬送路を構成できることを特徴としている。
この特徴によれば、飲食容器搬送装置の一部分を使用したい場合、移動自在な補助搬送装置を無端状の循環搬送路に並設して前記特定領域のみを一連の部分的な搬送路にできるため、設備投資費用を少なくすることができるとともに、電気の消費量をも少なくすることが出来る。
【０００８】
本発明の飲食容器搬送装置は、前記補助搬送装置が、直線状をなし、この補助搬送装置を前記無端状の循環搬送路の直線部分に平行に配置し、部分的な循環搬送路を形成できるようになっていることが好ましい。
このようにすれば、無端状の循環搬送路の直線部分を用いて部分的な循環路が形成できるため、例えばクレセントチェーンコンベアのような高価な装置が不要となる。
【０００９】
本発明の飲食容器搬送装置は、前記補助搬送装置が、直線状をなし、この補助搬送装置を前記無端状の循環搬送路の直線部分に平行に配置し、部分的なＬ字状の循環搬送路を形成できるようになっていることが好ましい。
このようにすれば、無端状の循環搬送路の直線部分を用いて部分的なＬ字状の循環路が形成できるため、例えばクレセントチェーンコンベアのような高価な装置が不要となる。
【００１０】
本発明の飲食容器搬送装置は、前記補助搬送装置が、直線状をなし、この補助搬送装置を前記無端状の循環搬送路を斜めに渡すように配置し、部分的な略三角形状の循環搬送路を形成できるようになっていることが好ましい。
このようにすれば、直線状の補助搬送装置１本で無端状の循環搬送路の角部を利用した部分的な循環路が形成できる。
【００１１】
本発明の飲食容器搬送装置は、前記補助搬送装置は、略直線状の基台に、無端状のベルトが掛け渡されたプーリと、該プーリを駆動させるためのモータと、から構成されていることが好ましい。
このようにすれば、補助搬送装置の構造が簡素化かつ軽量化されるため、容易に移動でき、所定の場所に設置できるとともに、メンテナンスをも容易に行うことができる。
【００１２】
本発明の飲食容器搬送装置は、前記基台の両側部には、ベルトに沿って壁部が設けられていることが好ましい。
このようにすれば、これら両側の壁が搬送容器の落下を防止できる。
【００１３】
本発明の飲食容器搬送装置は、前記壁部は、その端部が移動自在に形成されていることが好ましい。
このようにすれば、補助搬送装置を２個以上直角に組み合わせて使用する際、適宜両接合部における壁部の形状を変更できる。
【００１４】
本発明の飲食容器搬送装置は、前記基台には脚部が取付けられ、該脚部の高さを調整できる高さ調整装置が設けられていることが好ましい。
このようにすれば、補助搬送装置のベルトを無端状の循環搬送路と同じ高さに調整することができるために、飲食容器の搬送をスムーズに行うことができる。また、補助搬送装置の設置される場所の高さが一定でなくともその高さに合わせて設置することができる。
【００１５】
本発明の飲食容器搬送装置は、前記脚部には車輪が取付けられていることが好ましい。
このようにすれば、補助搬送装置が自由に移動可能となるため、所定の場所に容易に設置することができる。
【００１６】
【発明の実施の形態】
（実施例１）
以下、本発明の実施例を図面に基づいて説明すると、まず図１には本発明の実施例としての飲食容器搬送装置１の平面図が示されており、飲食容器搬送装置１のほぼ周縁部を複数のクレセントチェーン２からなる、無端状の循環搬送路としてのクレセントコンベア３が回動するようになっていて、飲食容器Ｓの搬送を行うようになっており、飲食容器搬送装置１の周囲には、飲食客が飲食を行うテーブル４と、飲食客が座る椅子５が設けられている。
【００１７】
また、前記飲食容器搬送装置１の内側、すなわち周回するクレセントコンベア３の内側には、飲食物の調理作業を行う厨房Ｗが設けられていて、厨房Ｗ内で調理された食品を飲食容器Ｓに乗せて、飲食容器Ｓを前記クレセントコンベア３上に載置して客に提供するようになっている。
【００１８】
また、前記飲食容器搬送装置１の内側には、クレセントコンベア３の内側に沿うようにして補助搬送装置としての補助コンベア６が設けられており、飲食容器搬送装置１全体を使用して飲食容器Ｓの搬送を行う場合だけでなく、例えば、飲食客が少ない時間帯などに飲食容器搬送装置１の一部分のみを使用して搬送を行う場合に、この補助コンベア６と後述する搬送方向切替装置７とを用いて飲食容器搬送装置１の一部分のみに搬送を行うようになっている。
【００１９】
次いで、補助コンベア６を図２に基づき説明すると、図２には、一部を切開した本発明の補助搬送装置としての補助コンベア６の斜視図が示されており、補助コンベア６は、コンベア部６ａと基台６ｂとから構成されており、コンベア部６ａは基台６ｂ上に据え付けられている。
【００２０】
コンベア部６ａは、コンベアの動力源としてのモータ８と、コンベアベルト９と、コンベアベルト９が掛け渡される駆動プーリ１０ａ、従動プーリ１０ｂと、から主に構成されており、そのうち駆動プーリ１０ａは、モータ８からの動力が駆動ベルト８ａにより伝えられ、従動プーリ１０ｂは駆動プーリ１０ａからコンベアベルト９により動力が伝えられて従動プーリとして駆動する。
【００２１】
モータ８は比較的小型のモータであり、コンベアの走行方向を切替可能なように、正逆転可能なモータが使用されている。
【００２２】
コンベアベルト９は、ベルトコンベアにおいて一般的に使用される汎用コンベアベルトである。
【００２３】
プーリ１０ａ、１０ｂは軽金属製でその形状は円筒形となっていて、コンベア部６ａの両端部に取付けられている。プーリ１０ａ、１０ｂは、その表面は凹凸加工が施されていて、モータ８から得た動力を確実にコンベアベルト９に伝えることができるようになっている。
【００２４】
コンベア部６ａの下部には、コンベア部６ａを支持する基台６ｂが設けられており、基台６ｂの下部には４本の脚部１１が取付けられている。
【００２５】
基台６ｂは軽金属製で、前記コンベア部６ｂの側端部を支持するとともに、その下面には、同じく軽金属製の脚部１１が溶着されて取付けられている。
【００２６】
脚部１１は、基台６ｂに溶着されている上脚部１１ａと下脚部１１ｂとから構成されていて、上脚部１１ａ内に下脚部１１ｂが収容されるようになっているとともに、下脚部１１ｂは伸縮自在となっている。
【００２７】
また、上脚部１１ａ、下脚部１１ｂにはそれぞれ各脚部１１の高さを変更できるように均等な間隔で複数の穴部１２が設けられていて、各脚部１１の高さを決定した後に穴部１２にボルト１３を差し込むことで、各脚部１１の高さをそれぞれ固定できるようになっている。
【００２８】
このように、各脚部１１の高さ調整を可能とすることで、補助コンベア６とクレセントコンベア３とを同一の高さにできるため、飲食容器Ｓの搬送をスムーズに行うことができる。
【００２９】
各脚部１１の下端にはそれぞれキャスタ１４が取付けられていて、これにより補助コンベア６を適宜な場所に自在に移動させることができるようになる。また、キャスタ１４には、キャスタ１４の回動を許容又は規制するストッパ１５が設けられているため、補助コンベア６を適宜な場所に移動させた後に容易に補助コンベア６の動作を規制することができる。
【００３０】
このようにすることにより、補助コンベア６が、自由に移動可能となるため、補助コンベア６を適宜な場所に設置することができる。
【００３１】
また、本実施例では補助コンベア６は基台６ｂに脚部１１が設けられていたが、本発明はこれに限定されるものではなく、脚部１１を設けずに、基台６ｂを直接飲食容器搬送装置１の内側に取付けるようにしてもよく、このようにすれば、クレセントコンベア３とコンベア部６ａとの高さ調整をすることなく補助コンベア６を飲食容器搬送装置１に容易に取付けることが出来る。
【００３２】
また、本実施例においては、補助コンベア６は、コンベアの搬送スピードを調節することができるような速度調整機能を備えたコンベアとされている。
【００３３】
このように、本実施例で用いられている補助コンベア６は比較的簡素な構造とされているため、軽量化を図れるとともに、メンテナンス性も向上する。
【００３４】
次いで、前記補助コンベア６の端部において、飲食容器Ｓの搬送方向を変更する搬送方向切替装置７について図３、図４に基づき説明すると、図３には、搬送方向切替装置７の略平面図が、図４（ａ）（ｂ）には、図３のＡ−Ａ断面図が示されており、搬送方向切替装置７は、補助コンベア６とクレセントコンベア３との間を跨ぐように前記飲食容器搬送装置１に取付けられており、その端部には、進路変更部材１９が設けられている。
【００３５】
この進路変更部材１９は、少なくともクレセントコンベア３、補助コンベア６もしくは搬送方向切替装置７上を移動する飲食容器Ｓを進行方向に摺接案内するようハの字状に配置された一対で板状のガイド部材２０ａ、２０ｂが、クレセントコンベア３、補助コンベア６を横切るように、搬送方向切替装置７の搬送方向片側に配置されている。
【００３６】
更に詳しくは、図３、図４（ｂ）に示されるように、搬送方向切替装置７は、クレセントコンベア３、補助コンベア６間に跨って支持されて断面コ字形の保持枠２１内に設けられた両内枠２２、２３の上面に複数のローラ２４が回転可能に支持され、これら複数のローラ２４はモータ２５により駆動される歯車群２６を介して駆動されるように構成されている。
【００３７】
一対のガイド部材２０ａ、２０ｂを有する進路変更部材１９は、ユニット構成となっており、本実施形態では搬送方向切替装置７の搬送方向の左側位置に着脱可能に取付けられている。
【００３８】
そして、これらガイド部材２０ａ、２０ｂの一端が、クレセントコンベア３、補助コンベア６を横切る位置と該クレセントコンベア３、補助コンベア６と並行な位置との範囲で水平方向に回動自在に枢支されている。
【００３９】
さらにガイド部材２０ａ、２０ｂは、一端が例えば板金で構成された進路変更ユニット枠２７の両側に枢軸２８ａ、２８ｂを介して回動自在に枢支され、両ガイド部材２０ａ、２０ｂ間には飲食物の載置台を進行方向に摺接案内する案内部２９が形成されている。
【００４０】
この進路変更ユニット枠２７は、ガイド部材２０ａ、２０ｂが枢支される側と反対側の内部には水平なリブ３０が設けられ、この水平なリブ３０に搬送方向切替装置７の保持枠２１の一側端部に立設した２本の保持軸３１を挿通し、その上端にネジ３２を螺着して着脱可能に取付けられている。
【００４１】
この進路変更ユニット枠２７は、搬送方向切替装置７の保持枠２１の一側端部より立設し、ガイド部材２０ａ、２０ｂの案内部２９と反対側側壁より内側に張出した水平リブ３０を貫通して上方に突出した２本の保持軸３１上端にネジ３２を介して着脱可能に取付けられている。
【００４２】
前記ガイド部材２０ａ、２０ｂの対面側には案内枠３３が着脱可能に取付けられ、この案内枠３３は、板金で円弧状に形成された案内部３５が形成されたフレーム３４で構成され、案内部３５と反対側側壁より内側に張出した水平リブ３６を貫通して上方に突出した２本の保持軸３１上端にネジ３２を介して着脱可能に取付けられている。
【００４３】
この案内部３５により前記搬送方向切替装置７を通行する飲食容器Ｓがその進行方向の転換を容易に実施しやすいようになっている。
【００４４】
また、搬送方向切替装置７は、飲食容器搬送装置１内に設けられている図示しない電源装置に接続されており、これにより搬送方向切替装置７に設けられている前記ローラ２４を回動させるモータ２５が、前記ガイド部材２０ａ、２０ｂを開放することで、該開放が図示しない開放スイッチにより検出されて自動的に駆動されるようになっている。
【００４５】
次に、飲食容器搬送装置１のうち、ある特定領域、本実施例では図１における領域Ｙにのみ飲食容器の搬送を行いたい場合についての具体的な動作について説明をすると、まず、補助コンベア６を領域Ｙの内側にクレセントコンベア３と進行方向が反対となるように並行させ、前記ストッパ１５によりキャスタ１４を固定して、補助コンベア６の位置を固定する。この時に、クレセントコンベア３の高さと補助コンベア６の高さが合わない場合には、補助コンベア６の脚部１１の高さを調節してクレセントコンベア３の高さと同一の高さになるようにする。
【００４６】
次いで、補助コンベア６の両端部に前記搬送方向切替装置７を前記図３に示すようにクレセントコンベア３と補助コンベア６との間を跨ぐように取付け、前記ガイド部材２０ａ、２０ｂを領域Ｙを囲むようにして、クレセントコンベア３と補助コンベア６を遮るように開いて固定することで、クレセントコンベア３上に搬送されていた飲食容器Ｓはガイド部材２０ａ、２０ｂに当接して、前記ローラ２４上を経由し、補助コンベア６へ、又は補助コンベア６からクレセントコンベア３へ飲食容器が搬送されるようになっていて、これにより領域Ｙにのみ飲食容器Ｓの搬送を行うことができるようになる。
【００４７】
このように、クレセントコンベア３の内側に補助コンベア６と搬送方向切替装置７を設けることで、飲食容器搬送装置１の特定の領域に２連搬送を行う場合に、クレセントコンベアを２連に設けるよりも、設備投資費用を低く抑えることができるとともに、動作の際に掛かる電気代を低く抑えることができる。
【００４８】
また、飲食容器の搬送を行いたい領域が図５のように広範囲にわたる場合には、前記補助コンベア６を複数台連結して設け、搬送を行うようになっている。この場合でも、搬送を行う領域の端部にそれぞれ搬送方向切替装置７を取付け、領域を区切って搬送を行うことができるようになっている。
【００４９】
（実施例２）
前記実施例において使用された補助搬送装置として適用されている前記補助コンベア６の別形態を本実施例において、図６に基づいて説明すると、図６には、補助コンベア１０６の斜視図が示されており、基台６ｂ’の上部長手方向に合成樹脂製の壁部１６が接着剤等により取付けられている。壁部１６は、補助コンベア１０６の端部以外の部分にのみ取付けられているとともに、補助コンベア１０６端部には壁部１６と同質の壁端部１６ａが設けられている。
【００５０】
壁端部１６ａは、図６に示すように、壁部１６と同等の高さで下面にピン１６ｂが設けられている。該ピン１６ｂと、補助コンベア１０６に設けられている穴部１６ｃとが嵌合することで壁端部１６ａは補助コンベア１０６に取付けられ、上方に取り外し可能となっており、これにより、補助コンベア１０６をその端部同士を直角に接続して設ける場合に、補助コンベア１０６同士の飲食容器の移動がスムーズに行われるようになる。
【００５１】
ここでは補助コンベア同士が直角に接続して設けられる場合の具体的な動作について図７、図８に基づいて説明すると、図７には、補助コンベア１０６、２０６が直角に設けている部分の一部が省略された平面図が、図８には、補助コンベア１０６、２０６が直角に設けている部分の一部が省略された斜視図が示されており、２つの補助コンベア１０６、２０６のうち、一方の補助コンベア２０６の壁端部１６ａ’を上方に取り外し、９０度回転させて補助コンベア２０６の最端部に設けられている穴部１６ｃ’に、ピン１６ｂを嵌め込んでコンベアを遮るように壁端部１６ａ’を設ける。このようにすれば、補助コンベア１０６、２０６の各端部を直角に接続する際に、飲食容器Ｓのスムーズな搬送を行うことができる。
【００５２】
また、本実施例では壁端部１６ａを上方に取り外し可能に取付けられているが、例えば、壁端部１６ａの一端にヒンジを設けて壁端部１６ａを開放可能な状態とし、補助コンベア１０６の端部を飲食容器Ｓが通過可能な程度開放可能な状態とするようにしても、飲食容器Ｓをスムーズに搬送を行うことができる。
【００５３】
（実施例３）
次いで、本実施例では前記クレセントコンベア３の角部のみ搬送を行う際について図９に基づいて説明する。
【００５４】
図９には、本実施例３の飲食容器搬送装置１の平面図が示されており、前記飲食容器搬送装置１の内方には、クレセントコンベア３の角部を斜めに渡すように直線状の補助コンベア３０６が設けられている。補助コンベア３０６の両端部には、搬送方向切替装置７’が設けられている。
【００５５】
搬送方向切替装置７’は、段々に長さの異なる複数のローラ２４’と、該ローラ２４’が設けられる枠体３７と、ガイド部材２０’とから構成されており、ガイド部材２０’は枠体３７の上部に回動自在に取付けられている。搬送方向切替装置７’の進行方向左側の枠体３７は一段高く形成されていて、飲食容器Ｓの落下を防止するようになっている。
【００５６】
枠体３７と、クレセントコンベア３の内側面とを接するように設け、ガイド部材２０’をクレセントコンベア３を遮るように広げて設けることで、クレセントコンベア３上を搬送されている飲食容器Ｓが搬送方向切替装置７’上に誘導され、ローラ２４’上を鋭角に曲がるように移動した後に直線状の補助コンベア３０６上を搬送し、再び搬送方向切替装置７’のローラ２４’上を鋭角に曲がるように通過して、クレセントコンベア３上を搬送されるようになり、このようにすることで、直線状の補助搬送装置１本でクレセントチェーンの角部を利用した部分的な循環路が形成できる。
【００５７】
以上、本発明の実施例を図面により説明してきたが、具体的な構成はこれら実施例に限られるものではなく、本発明の要旨を逸脱しない範囲における変更や追加があっても本発明に含まれる。
【００５８】
例えば、前記実施例では、補助コンベア６のコンベアベルト９には、汎用のコンベアベルトが適用されているが本発明はこれに限定されるものではなく、クレセントコンベアやローラコンベアなど他の種類のコンベアを使用しても良いことは言うまでもない。また、コンベアベルト９に使用される素材については合成樹脂製とされているが、例えば金属製のメッシュベルトなど、コンベアベルトとして使用可能な素材であればどのような素材であっても使用することが可能である。
【００５９】
また、前記各実施例では無端状の循環搬送路としてクレセントコンベア３を適用したが、本発明はこれに限定されるものではなく、クレセントコンベア３に変えて、例えば磁石の吸着を利用した循環搬送路等既存の搬送路を使用することも可能である。
【００６０】
【発明の効果】
本発明は以下の効果を奏する。
【００６１】
（ａ）請求項１項の発明によれば、飲食容器搬送装置の一部分を使用したい場合、移動自在な補助搬送装置を無端状の循環搬送路に並設して前記特定領域のみを一連の部分的な搬送路にできるため、設備投資費用を少なくすることができるとともに、電気の消費量をも少なくすることが出来る。
【００６２】
（ｂ）請求項２項の発明によれば、無端状の循環搬送路の直線部分を用いて部分的な循環路が形成できるため、例えばクレセントチェーンコンベアのような高価な装置が不要となる。
【００６３】
（ｃ）請求項３項の発明によれば、無端状の循環搬送路の直線部分を用いて部分的なＬ字状の循環路が形成できるため、例えばクレセントチェーンコンベアのような高価な装置が不要となる。
【００６４】
（ｄ）請求項４項の発明によれば、直線状の補助搬送装置１本で無端状の循環搬送路の角部を利用した部分的な循環路が形成できる。
【００６５】
（ｅ）請求項５項の発明によれば、補助搬送装置の構造が簡素化かつ軽量化されるため、容易に移動でき、所定の場所に設置できるとともに、メンテナンスをも容易に行うことができる。
【００６６】
（ｆ）請求項６項の発明によれば、これら両側の壁が搬送容器の落下を防止できる。
【００６７】
（ｇ）請求項７項の発明によれば、補助搬送装置を２個以上直角に組み合わせて使用する際、適宜両接合部における壁部の形状を変更できる。
【００６８】
（ｈ）請求項８項の発明によれば、補助搬送装置のベルトを無端状の循環搬送路と同じ高さに調整することができるために、飲食容器の搬送をスムーズに行うことができる。また、補助搬送装置の設置される場所の高さが一定でなくともその高さに合わせて設置することができる。
【００６９】
（ｉ）請求項９項の発明によれば、補助搬送装置が自由に移動可能となるため、所定の場所に容易に設置することができる。
【図面の簡単な説明】
【図１】本発明の使用状態を示す平面図である。
【図２】本発明の補助搬送装置の一部を切開した斜視図である。
【図３】本発明の搬送方向切替装置の一部を省略した平面図である。
【図４】図３のＡ−Ａ断面図である。
【図５】本発明の実施例１の変形例を示す平面図である。
【図６】本発明の実施例２における補助搬送装置を示す斜視図である。
【図７】本発明の実施例２における飲食容器搬送装置の一部を省略した平面図である。
【図８】本発明の実施例２における飲食容器搬送装置の一部を省略した斜視図である。
【図９】本発明の実施例３を示す平面図である。
【符号の説明】
１                飲食容器搬送装置
２                クレセントチェーン
３                クレセントコンベア
４                テーブル
５                椅子
６                補助コンベア
６ａ              コンベア部
６ｂ              基台
７、７’          搬送方向切替装置
８                モータ
８ａ              駆動ベルト
９                コンベアベルト
１０ａ            駆動プーリ
１０ｂ            従動プーリ
１１              脚部
１１ａ            上脚部
１１ｂ            下脚部
１２              穴部
１３              ボルト
１４              キャスタ
１５              ストッパ
１６              壁部
１６ａ、１６ａ’  壁端部
１６ｂ            ピン
１６ｃ、１６ｃ’  穴部
１９              進路変更部材
２０ａ、２０ｂ    ガイド部材
２０’            ガイド部材
２１              保持枠
２２、２３        両内枠
２４、２４’      ローラ
２５              モータ
２６              歯車群
２７              進路変更ユニット枠
２８ａ            枢軸
２９              案内部
３０              水平リブ
３１              保持軸
３２              ネジ
３３              案内枠
３４              フレーム
３５              案内部
３６              水平リブ
３７              枠体
１０６            補助コンベア
２０６            補助コンベア
３０６            補助コンベア
Ｓ                飲食容器
Ｗ                厨房
Ｙ                領域
【図１】
2004290396.tif 000003
【図２】
2004290396.tif 000004
【図３】
2004290396.tif 000005
【図４】
2004290396.tif 000006
【図５】
2004290396.tif 000007
【図６】
2004290396.tif 000008
【図７】
2004290396.tif 000009
【図８】
2004290396.tif 000010
【図９】
2004290396.tif 000011